(57)【要約】【課題】キッチンの下方のスペースを確保することと、美観を向上することと、食器洗い機を最適な環境で運転させることとを実現することができるキッチンを提供する。【解決手段】カウンター３と、カウンター３の上方に配置され、内部に食器洗い機Ａを収納可能であると共に、内部を換気するための前側扉が設けられるキャビネット１０と、前側扉によってキャビネット１０の内部を換気していない場合に食器洗い機Ａの運転を規制すると共に、それ以外の場合に食器洗い機Ａの運転を許容する通電遮断機構と、を具備する。【選択図】図１
2016185274.tif 000002
【特許請求の範囲】
【請求項１】
カウンターと、
前記カウンターの上方に配置され、内部に食器洗い機を収納可能であると共に、前記内部を換気するための換気手段が設けられる収納手段と、
前記換気手段によって前記収納手段の内部を換気していない場合に前記食器洗い機の運転を規制すると共に、それ以外の場合に前記食器洗い機の運転を許容する運転規制手段と、
を具備する、
キッチン。
【請求項２】
前記カウンターは、
平面視において第一の方向に延びる第一のカウンター部と、
前記第一のカウンター部の端部から、平面視において前記第一の方向とは異なる第二の方向に延びる第二のカウンター部と、
を具備し、
前記収納手段は、
前記第一のカウンター部と前記第二のカウンター部とによって形成される角部に配置される、
請求項１に記載のキッチン。
【請求項３】
前記収納手段は、
内部から前記食器洗い機を引き出し可能な引き出し部を具備する、
請求項１又は請求項２に記載のキッチン。
【請求項４】
前記収納手段には、
一側面と前記食器洗い機に設けられる被洗浄物を出し入れする扉体とが対向するように、前記食器洗い機が収納され、
前記換気手段は、
前記収納手段の前記一側面を開閉する扉を具備する、
請求項３に記載のキッチン。
【請求項５】
前記食器洗い機が引き出される動作に連動して前記扉を開く開放機構をさらに具備する、
請求項４に記載のキッチン。
【請求項６】
前記運転規制手段は、
前記食器洗い機への通電を遮断する遮断手段と、
前記換気手段が前記収納手段の内部を換気していない場合に前記遮断手段を動作させる駆動手段と、
を具備する、
請求項１から請求項５までのいずれか一項に記載のキッチン。
【発明の詳細な説明】
【技術分野】
【０００１】
本発明は、食器洗い機を配置可能なキッチンの技術に関する。
【背景技術】
【０００２】
従来、食器洗い機を配置可能なキッチンの技術は公知となっている。例えば、特許文献１に記載の如くである。
【０００３】
特許文献１に記載されるキッチンには、足元の収納に設けられるビルトインタイプの食器洗い機が配置される。食器洗い機は、扉によって開閉可能に構成される。食器洗い機の扉は、足元の収納から露出するように設けられる。
【０００４】
このような構成においては、足元の収納（カウンターの下方のスペース）が減ってしまう。このため、コンパクトなキッチンに特許文献１に記載される食器洗い機を設けると、収納が足りなくなってしまう可能性がある。
【０００５】
また、卓上タイプの食器洗い機をキッチンのカウンターに載置した場合、キッチンの下方のスペースを確保することができるものの、食器洗い機の本体が外部に露出してしまうため、美観を向上することができない。また、美観を向上させるため、カウンター上に食器洗い機を収納可能な収納部を設けた場合、食器洗い機を収納したままで運転させてしまう可能性がある。この場合、食器洗い機の運転時に発生する熱や蒸気を収納部の外部に排出することができず、食器洗い機及びキッチン本体（キャビネット・カウンター）にも負荷がかかってしまう。
【先行技術文献】
【特許文献】
【０００６】
【特許文献１】特開２０１４−１１７２９２号公報
【発明の概要】
【発明が解決しようとする課題】
【０００７】
本発明は、以上の如き状況を鑑みてなされたものであり、カウンターの下方のスペースを確保することと、美観を向上することと、食器洗い機を最適な環境で運転させることとを実現することができるキッチンを提供するものである。
【課題を解決するための手段】
【０００８】
本発明の解決しようとする課題は以上の如くであり、次にこの課題を解決するための手段を説明する。
【０００９】
即ち、請求項１においては、カウンターと、前記カウンターの上方に配置され、内部に食器洗い機を収納可能であると共に、前記内部を換気するための換気手段が設けられる収納手段と、前記換気手段によって前記収納手段の内部を換気していない場合に前記食器洗い機の運転を規制すると共に、それ以外の場合に前記食器洗い機の運転を許容する運転規制手段と、を具備するものである。
【００１０】
請求項２においては、前記カウンターは、平面視において第一の方向に延びる第一のカウンター部と、前記第一のカウンター部の端部から、平面視において前記第一の方向とは異なる第二の方向に延びる第二のカウンター部と、を具備し、前記収納手段は、前記第一のカウンター部と前記第二のカウンター部とによって形成される角部に配置されるものである。
【００１１】
請求項３においては、前記収納手段は、内部から前記食器洗い機を引き出し可能な引き出し部を具備するものである。
【００１２】
請求項４においては、前記収納手段には、一側面と前記食器洗い機に設けられる被洗浄物を出し入れする扉体とが対向するように、前記食器洗い機が収納され、前記換気手段は、前記収納手段の前記一側面を開閉する扉を具備するものである。
【００１３】
請求項５においては、前記食器洗い機が引き出される動作に連動して前記扉を開く開放機構をさらに具備するものである。
【００１４】
請求項６においては、前記運転規制手段は、前記食器洗い機への通電を遮断する遮断手段と、前記換気手段が前記収納手段の内部を換気していない場合に前記遮断手段を動作させる駆動手段と、を具備するものである。
【発明の効果】
【００１５】
本発明の効果として、以下に示すような効果を奏する。
【００１６】
請求項１においては、カウンターの下方のスペースを確保することと、美観を向上することと、食器洗い機を最適な環境で運転させることとを実現することができる。
【００１７】
請求項２においては、カウンターの角部のスペースを有効に活用することができる。
【００１８】
請求項３においては、食器洗い機の操作性を向上することができる。
【００１９】
請求項４においては、収納手段を効率的に換気することができる。
【００２０】
請求項５においては、効率的に収納手段を換気することができる。
【００２１】
請求項６においては、食器洗い機を最適な環境で運転させることができる。
【図面の簡単な説明】
【００２２】
【図１】（ａ）本発明の一実施形態に係るキッチンが配置される建築物の平面図。（ｂ）キッチンの右側面図。
【図２】食器洗い機が収納されると共に前側扉が閉じられている状態におけるキャビネットを示す斜視図。
【図３】食器洗い機が引き出されると共に前側扉が開かれている状態におけるキャビネットを示す斜視図。
【図４】（ａ）閉じられた状態における前側扉の右側面図。（ｂ）開かれた状態における前側扉の右側面図。
【図５】開放機構の正面断面図。
【図６】（ａ）本体ケース及びラッチボルトの斜視図。（ｂ）同じく正面断面図。
【図７】前側扉を開く際の開放機構の状態を示す正面断面図。
【図８】（ａ）図７に示す状態における本体ケース及びラッチボルトの斜視図。（ｂ）同じく正面断面図。
【図９】食器洗い機を運転させる際のキャビネットの状態を示す斜視図。
【図１０】通電遮断機構の分解斜視図。
【図１１】（ａ）食器洗い機が引き出されると共に前側扉が開かれている状態における通電遮断機構の状態を示す正面図。（ｂ）同じく平面断面図。
【図１２】（ａ）食器洗い機が収納されると共に前側扉が開かれている状態における通電遮断機構の状態を示す正面図。（ｂ）同じく平面断面図。
【図１３】（ａ）食器洗い機が引き出されると共に前側扉が閉じられている状態における通電遮断機構の状態を示す正面図。（ｂ）同じく平面断面図。
【図１４】（ａ）食器洗い機が収納されると共に前側扉が閉じられている状態における通電遮断機構の状態を示す正面図。（ｂ）同じく平面断面図。
【発明を実施するための形態】
【００２３】
以下の説明においては、図中に記した矢印に従って、上下方向、左右方向及び前後方向をそれぞれ定義する。
【００２４】
以下では、本発明の一実施形態に係るキッチン１について説明する。
【００２５】
キッチン１は、住宅等の人の居住を用途とする建築物の内部に設けられる。図１に示すように、キッチン１は、前記建築物の後壁部Ｗの右端部近傍に配置される。キッチン１の上方には、吊り収納Ｈが配置される。キッチン１の前方には、冷蔵庫Ｒが配置される。キッチン１は、足元収納２、カウンター３、コンロ４、シンク５及びキャビネット１０等を具備する。
【００２６】
足元収納２は、キッチン１の下部に設けられる。足元収納２は、内部に調理器具等を収納可能に構成される。
【００２７】
カウンター３は、キッチン１の上面を形成する部分である。カウンター３は、後壁部Ｗに添って左方向に延びるように形成されると共に当該延びた端部が前方向に延びるような平面視略Ｌ字状に形成される。カウンター３は、足元収納２の上方に配置される。カウンター３は、調理用カウンター３ａ、テーブルカウンター３ｂ及び角部３ｃを具備する。
【００２８】
調理用カウンター３ａは、キッチン１の利用者（以下、単に「利用者」と称する）が調理等を行う部分である。調理用カウンター３ａは、キッチン１の右後部から左前部に亘って形成される。
【００２９】
テーブルカウンター３ｂは、食器等を置く部分である。テーブルカウンター３ｂは、調理用カウンター３ａの左上方に配置される。テーブルカウンター３ｂは、キッチン１の後部から前端部に亘って形成される。なお、テーブルカウンター３ｂの後端部は、後述するキャビネット１０の前側扉１６を開閉するため、前方へ向けて切り欠いたように形成される。
【００３０】
角部３ｃは、カウンター３の左方向に延びる部分の端部と前方向に延びる部分の端部とが交わる部分、すなわち左後端部に形成される。本実施形態に係る角部３ｃは、テーブルカウンター３ｂの後方に配置される。角部３ｃは、調理用カウンター３ａの一部として形成される。
【００３１】
コンロ４は、調理を行う際に加熱源となるものである。コンロ４は、キッチン１の右後端部、すなわち調理用カウンター３ａの右方に設けられる。
【００３２】
シンク５は、食器及び食材の下洗い等を行うためのものである。シンク５は、キッチン１の左前部、より詳細には調理用カウンター３ａの前方に設けられる。
【００３３】
キャビネット１０は、カウンター３の角部３ｃに載置される略箱状の部材である。キャビネット１０は、コンロ４の左方、かつシンク５の後方に配置される。キャビネット１０は、食器洗い機Ａを内部に収納可能な大きさとなるように形成される。
【００３４】
食器洗い機Ａは、卓上タイプの食器洗い機である。食器洗い機Ａは、内部に洗浄槽等が設けられると共に、前記洗浄槽に食器を出し入れするための扉体Ａ１（図３参照）が設けられる。
【００３５】
図１に示す状態において、キャビネット１０は、前記扉体Ａ１を前方向に向けた状態で、食器洗い機Ａを収納する。このようなキャビネット１０は、図２及び図３に示すように、天板１１、後側板１２、左側板１３、底板１４、引き出し部１５及び前側扉１６等を具備する。
【００３６】
天板１１は、キャビネット１０の上側面を成す部分である。天板１１は、板面を上下方向に向けて配置される略板状の部材によって構成される。
【００３７】
後側板１２は、キャビネット１０の後側面を成す部分である。後側板１２は、板面を前後方向に向けて配置される略板状の部材によって構成される。後側板１２は、天板１１の後端部に固定される。
【００３８】
左側板１３は、キャビネット１０の左側面を成す部分である。左側板１３は、板面を左右方向に向けて配置される略板状の部材によって構成される。左側板１３は、天板１１及び後側板１２の左端部に固定される。
【００３９】
底板１４は、キャビネット１０の下側面を成す部分である。底板１４は、後側板１２の下端部から前方向に延びるように形成される底面１４ａと、当該底面１４ａの前端部から上方向に延びるような鉛直面１４ｂとによって側面視略Ｌ字状に形成される。底板１４は、後側板１２の下端部及び左側板１３の右側面に固定される。底板１４の前後方向幅は、天板１１及び左側板１３の前後方向幅よりも短くなるように形成される。底板１４の鉛直面１４ｂには、貫通孔１４ｃが形成される。貫通孔１４ｃは、鉛直面１４ｂの右端部を前後方向に貫通する正面視略円状の孔である。
【００４０】
引き出し部１５は、食器洗い機Ａを引き出すためのものである。引き出し部１５は、載置部１５ａ、右側板１５ｂ、切欠部１５ｃ、ハンドル支持部１５ｄ及びハンドル１５ｅを具備する。
【００４１】
載置部１５ａは、その板面を上下方向に向けて配置される略板状の部材によって構成される。載置部１５ａには、扉体Ａ１を前方向に向けた状態で食器洗い機Ａが載置される。載置部１５ａは、底板１４に対して左右方向に摺動可能となるように構成される。このような構成としては、例えば、載置部１５ａの前側面及び後側面に左右方向に沿って延びる穴部が形成され、底板１４の鉛直面１４ｂ及び後側板１２に取り付けられるローラーが前記穴部を転動するような構成等がある。
【００４２】
右側板１５ｂは、キャビネット１０の右側面を成す部分である。右側板１５ｂは、板面を左右方向に向けて配置される略板状の部材によって構成される。右側板１５ｂは、載置部１５ａの右端部に固定され、左側板１３の右方に配置される。右側板１５ｂは、食器洗い機Ａがキャビネット１０に収納された状態において、天板１１、後側板１２及び底板１４と当接する。
【００４３】
切欠部１５ｃは、右側板１５ｂを切り欠いたように形成される部分である。切欠部１５ｃは、右側板１５ｂの下端部の前部に形成される。切欠部１５ｃは、側面視略矩形状に形成される。切欠部１５ｃは、右側板１５ｂを左右方向に貫通するように形成される。
【００４４】
ハンドル支持部１５ｄは、右側板１５ｂの右側面に固定される略箱状の部材である。ハンドル支持部１５ｄの前側面は開口する。
【００４５】
ハンドル１５ｅは、食器洗い機Ａを引き出すときに利用者が握る部分である。ハンドル１５ｅは、右側板１５ｂの右方、かつハンドル支持部１５ｄの前方に配置される。ハンドル１５ｅは、略下方向に延びるように形成されると共に、当該略下方向に延びた端部が左下方向に延びるように形成される略棒状の部材である。ハンドル１５ｅの左下端部は、切欠部１５ｃの内側に配置される。ハンドル１５ｅは、図示せぬピン等を介してハンドル支持部１５ｄに支持される。これによりハンドル１５ｅは、正面視においてその中途部と重なる点Ｃ（図５参照）を中心として、正面視において時計回り方向及び反時計回り方向に回動可能に支持される。
【００４６】
このように構成される引き出し部１５は、利用者がハンドル１５ｅを握って右方向に引っ張ることによって、食器洗い機Ａと共にキャビネット１０から引き出される。このとき、ハンドル１５ｅは、正面視において反時計回り方向に回動される。引き出し部１５は、食器洗い機Ａが引き出された状態から左方向に押し込まれることで、食器洗い機Ａをキャビネット１０に収納する。
【００４７】
前側扉１６は、キャビネット１０の前側面を開閉するための開き戸である。前側扉１６は、図２に示す閉じられた状態において、キャビネット１０を前側から覆うように形成される。また、この状態において、前側扉１６は、底板１４の前方に配置される。図２、図３及び図４に示すように、前側扉１６は、上側扉体１６ａ、軸部１６ｂ、下側扉体１６ｃ、摺動部１６ｄ、蝶番１６ｅ及び取っ手１６ｆを具備する。
【００４８】
上側扉体１６ａは、前側扉１６の上部に配置される板状の部材である。上側扉体１６ａは、図２及び図４（ａ）に示す前側扉１６が閉じられた状態において、板面を前後方向に向けて配置される。上側扉体１６ａは、その左右方向幅が後側板１２の左右方向幅と略同一となるように形成される。また、上側扉体１６ａは、その上下方向幅が後側板１２の略半分となるように形成される。
【００４９】
軸部１６ｂは、軸線方向を左右方向に向けて配置されると共に、上側扉体１６ａの左側面における上端部に配置される。軸部１６ｂは、上側扉体１６ａを左側板１３に対して回動可能に支持する。
【００５０】
下側扉体１６ｃは、前側扉１６の下部に配置される板状の部材である。下側扉体１６ｃは、上側扉体１６ａと略同一形状となるように構成される。下側扉体１６ｃは、図２及び図４（ａ）に示す前側扉１６が閉じられた状態において、上側扉体１６ａと面一となるように、上側扉体１６ａの下方に並べて配置される。
【００５１】
摺動部１６ｄは、下側扉体１６ｃの左側面における下端部に配置される。摺動部１６ｄは、左側板１３に固定される図示せぬレールを略上下方向に摺動可能に構成される。
【００５２】
蝶番１６ｅは、上側扉体１６ａ及び下側扉体１６ｃを回動可能に連結するためのものである。蝶番１６ｅは、上側扉体１６ａの後側面に固定される一の羽根部及び下側扉体１６ｃの後側面に固定される他の羽根部を、軸部材によって回動可能に支持することで構成される。
【００５３】
取っ手１６ｆは、前側扉１６を開閉する際に利用者が握るためのものである。取っ手１６ｆは、側面視略Ｕ字状に形成され、下側扉体１６ｃの前側面における右部に取り付けられる。
【００５４】
このように構成される前側扉１６は、図２及び図４（ａ）に示す閉じられた状態において、食器洗い機Ａの扉体Ａ１と対向する。このような状態から利用者が取っ手１６ｆを握って下側扉体１６ｃを上方向に持ち上げると、下側扉体１６ｃは、略上方向に移動されながら、蝶番１６ｅによって回動される。また、上側扉体１６ａは、軸部１６ｂを中心として回動される。これによって、前側扉１６は、図３及び図４（ｂ）に示す開かれた状態となる。こうして、前側扉１６は、キャビネット１０の前側面を開いて内部を換気可能な状態にする。
【００５５】
このようなキャビネット１０の内部には、食器洗い機Ａに水及び湯を供給するための給水管及び給湯管、前記水及び湯等を排出するための排出管、並びに食器洗い機Ａに電力を供給するための電源等が配設される。これによって、キャビネット１０は、内部で食器洗い機Ａが運転可能となるように構成される。
【００５６】
このように構成されるキャビネット１０には、開放機構２０及び通電遮断機構３０が設けられる。
【００５７】
開放機構２０は、前側扉１６を開くためのものである。図４及び図５に示すように、開放機構２０は、本体ケース２１、支持部材２２、軸部２３、ラッチボルト２４、バネ２５、ラッチ受け部２６及びダンパー２７を具備する。
【００５８】
本体ケース２１は、略箱状の部材である。本体ケース２１は、底板１４の鉛直面１４ｂの右端部に固定される。本体ケース２１の右側面は、引き出し部１５の切欠部１５ｃと略同一形状となるように形成される。本体ケース２１は、切欠部１５ｃ及びハンドル１５ｅの左方に配置される。図５及び図６に示すように、本体ケース２１には、右側開口部２１ａ、左側開口部２１ｂ及び凸部２１ｃが形成される。
【００５９】
右側開口部２１ａは、本体ケース２１の右側面において開口する部分である。右側開口部２１ａは、本体ケース２１の下部から上部までに亘って形成される。右側開口部２１ａは、側面視略矩形状に形成される。
【００６０】
左側開口部２１ｂは、本体ケース２１の左側面において開口する部分である。左側開口部２１ｂは、本体ケース２１の下部から上下中央部までに亘って形成される。左側開口部２１ｂは、側面視略矩形状に形成される。
【００６１】
凸部２１ｃは、本体ケース２１の上面における右端部から下方向に突出するように形成される。
【００６２】
支持部材２２は、後述するラッチボルト２４を支持するための略板状の部材である。支持部材２２は、板面を左右方向に向けて配置される。支持部材２２には、本体部２２ａ及び段差部２２ｂが形成される。
【００６３】
本体部２２ａは、側面視において本体ケース２１の右側開口部２１ａと略同一の形状となるような略板状に形成される。本体部２２ａは、本体ケース２１の右側開口部２１ａの内側に配置される。本体部２２ａは、ハンドル１５ｅの左方に配置される。
【００６４】
段差部２２ｂは、本体部２２ａの上端部に形成される。段差部２２ｂは、本体部２２ａの上端部から左方向に突出すると共に当該突出した部分の端部が上方向にさらに延びるような正面視略Ｌ字状に形成される。段差部２２ｂは、本体ケース２１の凸部２１ｃの左方に配置される。段差部２２ｂは、図５及び図６に示す状態において凸部２１ｃと当接する。
【００６５】
軸部２３は、軸線方向を前後方向に向けて配置される。軸部２３は、本体ケース２１の右端部における上下中央部及び支持部材２２の上下中央部を貫通するように本体ケース２１に設けられる。軸部２３は、支持部材２２を本体ケース２１に対して回動可能に支持する。
【００６６】
ラッチボルト２４は、支持部材２２（本体部２２ａ）の左側面における下端部に取り付けられる。ラッチボルト２４は、正面視略台形状に形成される。ラッチボルト２４の左端部は、図５及び図６に示す状態において左側開口部２１ｂから突出する。ラッチボルト２４の右端部は、支持部材２２の本体部２２ａの下端部に回動自在に連結される。ラッチボルト２４は、支持部材２２の回動に伴って左右方向に摺動自在に構成される。
【００６７】
バネ２５は、本体ケース２１の内部に配置される。バネ２５の右端部は、支持部材２２の本体部２２ａの左側面における上部（軸部２３で支持されている部分よりも上方）と当接する。バネ２５の左端部は、本体ケース２１の内側面と当接する。バネ２５は、支持部材２２を右方向に付勢する。これによって、バネ２５は、支持部材２２を正面視において反時計回り方向に付勢する。なお、図６（ａ）及び図８（ａ）においては、説明の便宜上、バネ２５の記載を省略している。
【００６８】
ラッチ受け部２６は、右側面が開口する略箱状の部材である。図４及び図５に示すように、ラッチ受け部２６は、前側扉１６の下側扉体１６ｃの下端部に固定され、前側扉１６の後側面に配置される。
【００６９】
ダンパー２７は、前側扉１６の下側扉体１６ｃを付勢すると共に前側扉１６の開閉時に生じる衝撃を減衰するためのものである。ダンパー２７は、前側扉１６の後方に配置される。ダンパー２７の本体部２７ａは、左側板１３（図３参照）に固定される。ダンパー２７のシャフト２７ｂは、前側扉１６の下側扉体１６ｃに固定される。ダンパー２７は、下側扉体１６ｃを後上方向に付勢する。
【００７０】
このように構成される開放機構２０の支持部材２２は、図４（ａ）及び図５に示す前側扉１６が閉じられた状態において、バネ２５の付勢力によって、凸部２１ｃに段差部２２ｂが当接するまで正面視反時計回り方向に回動される。これにより、ラッチボルト２４は、ラッチ受け部２６の内側に配置されてラッチ受け部２６と係合される。これによって、前側扉１６は、閉じられた状態が維持される。
【００７１】
このような状態から利用者が食器洗い機Ａを引き出す際にハンドル１５ｅを回動させたとき、図７及び図８に示すように、支持部材２２の本体部２２ａは、上部にハンドル１５ｅが当接されて左方向に押圧される。これによって、支持部材２２は、バネ２５の力に抗して正面視時計回り方向に回動する。ラッチボルト２４は、当該支持部材２２の回動に伴って略右方向に移動する。こうして、ラッチボルト２４は、ラッチ受け部２６との係合状態が解除される。
【００７２】
ラッチボルト２４とラッチ受け部２６との係合状態が解除されると、図４（ｂ）に示すように、下側扉体１６ｃは、ダンパー２７の付勢力によって引っ張られ、略上方向に移動されると共に回動される。また、上側扉体１６ａは、回動される。これによって、開放機構２０は、食器洗い機Ａの引き出し動作に連動して前側扉１６を開く。
【００７３】
通電遮断機構３０は、図２に示すような、キャビネット１０に食器洗い機Ａが収納されると共に前側扉１６が閉じられている場合に、食器洗い機Ａへの通電を遮断する。また、通電遮断機構３０は、それ以外の場合（例えば、食器洗い機Ａが引き出されていたり、前側扉１６が開かれている場合）に、食器洗い機Ａへの通電を許容する。なお、通電遮断機構３０の構成については後で詳述する。
【００７４】
以下では、食器洗い機Ａを利用して食器を洗うまでの流れについて説明する。
【００７５】
なお、説明の便宜上、食器洗い機Ａを利用する前の状態において、キャビネット１０は、図２に示すような状態（食器洗い機Ａが収納されると共に前側扉１６が閉じられている状態）であるものとする。
【００７６】
まず、利用者は、ハンドル１５ｅを握って食器洗い機Ａを引き出す。このとき、ハンドル１５ｅは、回動される。これによって、図４及び図７に示すように、ラッチボルト２４とラッチ受け部２６との係合状態が解除され、前側扉１６は開かれる。これによれば、利用者は、食器洗い機Ａを引き出す際に前側扉１６を開くことができる。こうして、利用者は、図３に示すように、食器洗い機Ａを引き出すと共に前側扉１６を開いた状態にする。
【００７７】
食器洗い機Ａを引き出した後で、利用者は、食器洗い機Ａの扉体Ａ１を開き、シンク５（図１参照）で下洗いした食器を食器洗い機Ａ内にセットする。その後、利用者は、食器洗い機Ａの洗浄槽に洗剤を投入して食器洗い機Ａの扉体Ａ１を閉じ、食器洗い機Ａをキャビネット１０に収納する。このとき、図９に示すように、前側扉１６は、開かれた状態のままである。利用者は、このような状態で食器洗い機Ａの運転を開始する。これによって、キャビネット１０は、食器洗い機Ａの運転時に発生する熱や蒸気等を前側面から排出することができる。
【００７８】
本実施形態に係るキャビネット１０は、食器洗い機Ａの扉体Ａ１と対向する一側面（前側面）を前側扉１６によって開閉可能に構成することで、食器洗い機Ａの運転時に扉体Ａ１側から熱や蒸気等を排出することができる。これによって、キャビネット１０は、効率的に内部を換気することができる。
【００７９】
また、開放機構２０は、食器洗い機Ａが引き出される動作に連動して前側扉１６を開放することで、利用者が食器洗い機Ａの運転を開始する前に別途前側扉１６を開かなくても良いようにしている。これによれば、食器洗い機Ａの操作性を向上することができる。
【００８０】
食器洗い機Ａの運転が終わった後で、利用者は、図３に示すように、食器洗い機Ａを再び引き出して、食器洗い機Ａの扉体Ａ１を開いて食器を取り出す。そして、利用者は、食器洗い機Ａの扉体Ａ１を閉じ、食器洗い機Ａをキャビネット１０に収納する。その後、利用者は、取っ手１６ｆを握って前側扉１６を閉じる。これによって、利用者は、キャビネット１０を図２に示すような状態にする。
【００８１】
以上によって、利用者は、食器洗い機Ａの利用を完了する。
【００８２】
本実施形態に係るキャビネット１０は、図１に示すように、カウンター３（調理用カウンター３ａ）に載置されている。このため、利用者は、立った姿勢で（屈むことなく）食器洗い機Ａの扉体Ａ１から食器を出し入れすることができる。これにより、食器洗い機Ａを利用する際の作業負担を軽減することができる。また、キッチン１の足元収納２を確保することができる。
【００８３】
本実施形態に係るキャビネット１０は、足元収納２の上方に配置されている。また、引き出し部１５は、食器洗い機Ａが引き出された状態において、シンク５の後方に配置される。このため、利用者は、食器洗い機Ａを引き出したままでもシンク５で行われる作業（例えば、食器の下洗い等）を問題なく行うことができる（食器洗い機Ａが前記作業の邪魔になることを防止できる）。
【００８４】
また、食器洗い機Ａを車椅子利用者が利用する場合でも、キャビネット１０が車椅子よりも高い位置に配置されているため、車椅子利用者は、車椅子での移動や方向転換が妨げられることなく食器洗い機Ａを利用することができる。すなわち、キャビネット１０によれば、車椅子利用者でも食器洗い機Ａを簡単に利用することができる。さらに、車椅子での可動範囲を確保するために、カウンター３の下方にスペースを設けた（キッチン１の足元収納２を取り除いた）場合でも、食器洗い機Ａを引き続き利用することができる。
【００８５】
また、本実施形態に係るキッチン１は、キャビネット１０の内部に食器洗い機Ａを収納する（外部から視認されないようにする）ことができるため、美観を向上することができる。
【００８６】
また、本実施形態に係るキッチン１は、卓上タイプの食器洗い機Ａをキャビネット１０に収納するだけであるため、ビルトインタイプの食器洗い機をキッチンに設けた場合と比較して、簡単に食器洗い機Ａを交換することができる。
【００８７】
また、引き出し部１５によって食器洗い機Ａを右方向に引き出すことで、利用者は、手元に近い位置で食器洗い機Ａへの食器の出し入れを行うことができる。これによれば、キャビネット１０は、食器洗い機Ａの操作性を向上することができる。
【００８８】
また、本実施形態に係るキャビネット１０が載置されている角部３ｃは、デッドスペースになり易い部分である。このような角部３ｃにキャビネット１０（及び食器洗い機Ａ）を配置することで、キッチン１のスペースを有効に活用することができる。これによれば、キッチン１は、そのスペースを無駄なく使用することができる。これによって、キッチン１を無理なく（収納スペースが足りない等の不具合が起きることなく）小型化することができる。
【００８９】
さらに、上述の如くキッチン１を小型化すれば、その分だけリビングやダイニングを拡大したり、エレベータ等を設置したりすることができる。すなわち、本実施形態に係るキッチン１を用いることにより、建築物の設計の幅を広げることができる。また、上述の如くキッチン１を小型化し、その分だけ建築物の面積を狭くすれば、建築費を削減することができる。
【００９０】
次に、通電遮断機構３０の各部の構成について説明する。
【００９１】
通電遮断機構３０は、図９に示すように、底板１４の鉛直面１４ｂの左端部に配置される。図９及び図１０に示すように、通電遮断機構３０は、収納検知ボタン４０、前側扉検知ボタン５０、押圧部材６０及び通電遮断スイッチ７０を具備する。
【００９２】
収納検知ボタン４０は、食器洗い機Ａが収納されているかどうかを検知するためのものである。収納検知ボタン４０は、固定部材４１、摺動部材４２及びバネ４３を具備する。
【００９３】
固定部材４１は、略角柱状の部材である。図１０及び図１１に示すように、固定部材４１には、板部４１ａ、突出部４１ｂ及び貫通孔４１ｃが形成される。
【００９４】
板部４１ａは、板面を左右方向に向けて配置される。板部４１ａは、側面視略矩形状に形成される。板部４１ａは、底板１４に固定され、底板１４の鉛直面１４ｂの後方に配置される。
【００９５】
突出部４１ｂは、板部４１ａから右方向に突出するように形成される部分である。突出部４１ｂは、左右方向に貫通する孔部を有する略直方体状に形成される。
【００９６】
貫通孔４１ｃは、突出部４１ｂを前後方向に貫通する正面視略円状の孔である。貫通孔４１ｃは、突出部４１ｂの左右中途部に形成される。貫通孔４１ｃの内径は、底板１４の貫通孔１４ｃの内径よりも小さい内径となるように形成される（図１１（ｂ）参照）。
【００９７】
摺動部材４２は、固定部材４１の右方に配置される。摺動部材４２には、板部４２ａ、角柱部４２ｂ及び貫通孔４２ｃが形成される。
【００９８】
板部４２ａは、板面を左右方向に向けて配置される。板部４２ａは、固定部材４１の板部４１ａと略同一形状となるように形成される。板部４２ａは、引き出し部１５の載置部１５ａの左方に配置される。
【００９９】
角柱部４２ｂは、左側面が閉塞する中空状の部分である。角柱部４２ｂは、略直方体状に形成され、板部４２ａから左方向に突出するように形成される。角柱部４２ｂは、突出部４１ｂの内側を左右方向に摺動可能となるように形成される。角柱部４２ｂの左部は、突出部４１ｂの内側に配置される。
【０１００】
貫通孔４２ｃは、角柱部４２ｂを前後方向に貫通する正面視略円状の孔である。貫通孔４２ｃは、角柱部４２ｂの左右中途部に形成される。貫通孔４２ｃの内径は、固定部材４１の貫通孔４１ｃの内径と略同一の大きさとなるように形成される。貫通孔４２ｃは、上下方向における位置が固定部材４１の貫通孔４１ｃと同一位置となるように配置される。図１１に示す食器洗い機Ａが引き出された状態において、貫通孔４２ｃは、固定部材４１の貫通孔４１ｃの右方に配置される。
【０１０１】
バネ４３は、左端部が固定部材４１の板部４１ａに固定されると共に、右端部が摺動部材４２の角柱部４２ｂに固定される。
【０１０２】
このような収納検知ボタン４０の摺動部材４２は、図１２に示すように、食器洗い機Ａが収納されると、載置部１５ａによって左方向に押圧され、バネ４３を縮めて固定部材４１に接近する。これによって、摺動部材４２の貫通孔４２ｃは、固定部材４１の貫通孔４１ｃと正面視において重なる位置に配置される。また、図１１に示すように、摺動部材４２は、食器洗い機Ａが引き出されると、バネ４３が伸びて固定部材４１から離間する。
【０１０３】
前側扉検知ボタン５０は、前側扉１６の開閉状態を検知するためのものである。図１０及び図１１に示すように、前側扉検知ボタン５０は、可動部材５１及び外側バネ５２を具備する。
【０１０４】
可動部材５１は、底板１４及び固定部材４１の前方に配置される。可動部材５１には、板部５１ａ及び筒部５１ｂが形成される。
【０１０５】
板部５１ａは、板面を前後方向に向けて配置される。板部５１ａは、正面視略矩形状に形成される。板部５１ａは、前側扉１６が閉じられた状態において、下側扉体１６ｃと当接する（図１３（ｂ）参照）。
【０１０６】
筒部５１ｂは、軸線方向を前後方向に向けて配置される。筒部５１ｂは、板部５１ａから後方向に突出するように形成される。筒部５１ｂは、固定部材４１の貫通孔４１ｃの前方に配置される。筒部５１ｂの中心は、底板１４の貫通孔１４ｃ及び固定部材４１の貫通孔４１ｃの中心と正面視において重なる位置に配置される。筒部５１ｂの内径は、固定部材４１の貫通孔４１ｃの内径よりも大きくなるように形成される。また、筒部５１ｂの外径は、底板１４の貫通孔１４ｃの内径よりも小さくなるように形成される。すなわち、筒部５１ｂは、底板１４の貫通孔１４ｃに挿通可能であると共に、固定部材４１の貫通孔４１ｃに挿通不能に構成される。図１１に示す前側扉１６が開かれた状態において、筒部５１ｂの前端部は、底板１４の貫通孔１４ｃの前方に配置される。
【０１０７】
外側バネ５２は、内径が底板１４の貫通孔１４ｃの内径よりも大きくなるように形成される。外側バネ５２には、筒部５１ｂが挿通される。外側バネ５２は、筒部５１ｂの外側に配置される。外側バネ５２は、前端部が板部５１ａに固定されると共に後端部が底板１４の鉛直面１４ｂに固定される。なお、図３及び図９においては、説明の便宜上、外側バネ５２の記載を省略している。
【０１０８】
このような前側扉検知ボタン５０の可動部材５１は、図１３に示すように、前側扉１６が閉じられると、前側扉１６の下側扉体１６ｃによって前方向に押圧され、外側バネ５２を縮めて固定部材４１に接近する。これによって、筒部５１ｂは、固定部材４１の突出部４１ｂと当接する。また、図１１に示すように、可動部材５１は、前側扉１６が開かれると、外側バネ５２が伸びて固定部材４１から離間する。
【０１０９】
押圧部材６０は、後述する通電遮断スイッチ７０を押圧するためのものである。図１０及び図１１に示すように押圧部材６０は、軸線方向を前後方向に向けて配置される略円柱状の部材である。押圧部材６０の外径は、固定部材４１の貫通孔４１ｃの内径と略同一となるように形成される。すなわち、押圧部材６０は、固定部材４１の貫通孔４１ｃ及び摺動部材４２の貫通孔４２ｃに挿通可能に構成される。押圧部材６０は、内側バネ６１を介して可動部材５１の板部５１ａに支持される。押圧部材６０は、可動部材５１から前方向に突出する。
【０１１０】
通電遮断スイッチ７０は、食器洗い機Ａへの通電状態を切り替えるためのものである。通電遮断スイッチ７０は、固定部材４１の貫通孔４１ｃの後方に配置される。通電遮断スイッチ７０は、押圧されたときに食器洗い機Ａへの通電を遮断することができる。また、通電遮断スイッチ７０は、押圧されていないときに食器洗い機Ａへの通電を許容することができる。
【０１１１】
次に、通電遮断機構３０の動作について説明する。
【０１１２】
図１１は、食器洗い機Ａがキャビネット１０に収納されていない状態であると共に、前側扉１６が開かれた状態を示すものである。この場合、バネ４３によって摺動部材４２が固定部材４１から離間するため、摺動部材４２の貫通孔４２ｃは、固定部材４１の貫通孔４１ｃよりも右方に配置される。また、可動部材５１は、外側バネ５２によって固定部材４１から離間する。これに伴って、押圧部材６０は、前方向に移動され、通電遮断スイッチ７０の前方に配置された状態（通電遮断スイッチ７０を押圧しない状態）となる。
すなわち、図１１に示す状態において、通電遮断機構３０は、食器洗い機Ａへの通電を許容する。
【０１１３】
図１２は、食器洗い機Ａがキャビネット１０に収納されると共に、前側扉１６が開かれた状態を示すものである。この場合、摺動部材４２が左方向に移動され、摺動部材４２の貫通孔４２ｃは、固定部材４１の貫通孔４１ｃと正面視において重なる位置に配置される。
しかし、図１２に示す状態において、押圧部材６０は、前方向に移動されるため、通電遮断スイッチ７０を押圧しない状態のままとなる。すなわち、図１２に示す状態において、通電遮断機構３０は、食器洗い機Ａへの通電を許容する。
【０１１４】
図１３は、食器洗い機Ａがキャビネット１０に収納されていない状態であると共に、前側扉１６が閉じられた状態を示すものである。この場合、前側扉検知ボタン５０の可動部材５１は、前側扉１６によって後方向に押圧される。これにより、押圧部材６０は、後方向に押圧される。
しかし、図１３に示す状態において、摺動部材４２の貫通孔４２ｃが固定部材４１の貫通孔４１ｃの右方に配置されるため、押圧部材６０は、摺動部材４２の貫通孔４２ｃを挿通することができない。すなわち、図１３に示す状態において、押圧部材６０は、摺動部材４２の角柱部４２ｂと当接して内側バネ６１が縮むだけで、通電遮断スイッチ７０を押圧することができない。すなわち、図１３に示す状態において、通電遮断機構３０は、食器洗い機Ａへの通電を許容する。
【０１１５】
図１４は、食器洗い機Ａがキャビネット１０に収納されると共に、前側扉１６が閉じられた状態を示すものである。図１４に示す状態において、摺動部材４２の貫通孔４２ｃは、固定部材４１の貫通孔４１ｃと正面視において重なる位置に配置される。また、押圧部材６０は、後方向に押圧される。
この場合、押圧部材６０の押圧部材６０は、固定部材４１及び摺動部材４２の貫通孔４１ｃ・４２ｃを挿通し、通電遮断スイッチ７０を押圧する。すなわち、図１４に示す状態において、通電遮断機構３０は、食器洗い機Ａへの通電を遮断する。
【０１１６】
以上のように、通電遮断機構３０は、食器洗い機Ａを収納すると共に前側扉１６が閉じられた状態（図２に示す状態）である場合だけ、食器洗い機Ａへの通電を遮断する。すなわち、通電遮断機構３０は、キャビネット１０内を換気することができない場合だけ、食器洗い機Ａの運転を規制するようにしている。
【０１１７】
これによれば、キャビネット１０は、食器洗い機Ａの運転時に、内部に蒸気や熱が留まることを抑制できる。このため、通電遮断機構３０は、食器洗い機Ａを最適な環境で運転させることができる。
【０１１８】
以上の如く、本実施形態に係るキッチン１は、カウンター３と、前記カウンター３の上方に配置され、内部に食器洗い機Ａを収納可能であると共に、前記内部を換気するための換気手段が設けられるキャビネット１０（収納手段）と、前記換気手段によって前記キャビネット１０の内部を換気していない場合に前記食器洗い機Ａの運転を規制すると共に、それ以外の場合に前記食器洗い機Ａの運転を許容する通電遮断機構３０（運転規制手段）と、を具備するものである。
【０１１９】
このように構成することにより、カウンター３の下方のスペースを確保することと、美観を向上することと、食器洗い機Ａを最適な環境で運転させることとを実現することができる。
【０１２０】
また、前記カウンター３は、平面視において左方向（第一の方向）に延びる調理用カウンター３ａの後部（第一のカウンター部）と、前記調理用カウンター３ａの後部の端部から、平面視において前方向（前記第一の方向とは異なる第二の方向）に延びる調理用カウンター３ａの左部及びテーブルカウンター３ｂ（第二のカウンター部）と、を具備し、前記キャビネット１０は、前記調理用カウンター３ａの後部と前記調理用カウンター３ａの左部及びテーブルカウンター３ｂとによって形成される角部３ｃに配置されるものである。
【０１２１】
このように構成することにより、カウンター３の角部３ｃのスペースを有効に活用することができる。
【０１２２】
また、前記キャビネット１０は、内部から前記食器洗い機Ａを引き出し可能な引き出し部１５を具備するものである。
【０１２３】
このように構成することにより、食器洗い機Ａの操作性を向上することができる。
【０１２４】
また、前記キャビネット１０には、前側面（一側面）と前記食器洗い機Ａに設けられる被洗浄物（食器）を出し入れする扉体Ａ１とが対向するように、前記食器洗い機Ａが収納され、前記換気手段は、前記キャビネット１０の前記前側面を開閉する前側扉１６（扉）を具備するものである。
【０１２５】
このように構成することにより、キャビネット１０を効率的に換気することができる。
【０１２６】
また、前記食器洗い機Ａが引き出される動作に連動して前記前側扉１６を開く開放機構２０をさらに具備するものである。
【０１２７】
このように構成することにより、効率的にキャビネット１０を換気することができる。
【０１２８】
また、前記通電遮断機構３０は、前記食器洗い機Ａへの通電を遮断する通電遮断スイッチ７０（遮断手段）と、前記前側扉１６が前記キャビネット１０の内部を換気していない場合に前記通電遮断スイッチ７０を動作させる収納検知ボタン４０、前側扉検知ボタン５０及び押圧部材６０（駆動手段）と、を具備するものである。
【０１２９】
このように構成することにより、食器洗い機Ａを最適な環境で運転させることができる。
【０１３０】
なお、本実施形態に係るキャビネット１０は、本発明に係る収納手段の実施の一形態である。
また、本実施形態に係る前側扉１６は、本発明に係る換気手段の実施の一形態である。
また、本実施形態に係るキャビネット１０の前側面は、本発明に係る収納手段の一側面の実施の一形態である。
また、本実施形態に係る通電遮断機構３０は、本発明に係る運転規制手段の実施の一形態である。
また、本実施形態に係る調理用カウンター３ａの後部は、本発明に係る第一のカウンター部の実施の一形態である。
また、本実施形態に係る延びる調理用カウンター３ａの左部及びテーブルカウンター３ｂは、本発明に係る第二のカウンター部の実施の一形態である。
また、本実施形態に係る通電遮断スイッチ７０は、本発明に係る遮断手段の実施の一形態である。
また、本実施形態に係る収納検知ボタン４０、前側扉検知ボタン５０及び押圧部材６０は、本発明に係る駆動手段の実施の一形態である。
また、本実施形態における左方向は、本発明に係る第一の方向に対応する。
また、本実施形態における前方向は、本発明に係る第二の方向に対応する。
【０１３１】
以上、本発明の実施形態を説明したが、本発明は上記構成に限定されるものではなく、特許請求の範囲に記載された発明の範囲内で種々の変更が可能である。
【０１３２】
例えば、本実施形態に係るカウンター３は、平面視略Ｌ字状に形成されるものとしたが、本発明に係るカウンターは、これに限定されるものでない。すなわち、本発明に係るカウンターは、平面視略Ｕ字状等であっても良い。
【０１３３】
また、本実施形態に係るキャビネット１０は、カウンター３に載置されるものとしたが、本発明に係る収納手段は、カウンター３の上方に配置されていれば、これに限定されるものでない。すなわち、本発明に係る収納手段は、キッチン１の後壁部Ｗ等に取り付けられてカウンター３の上方に浮いた状態で配置されるものであっても良い。
【０１３４】
また、本実施形態に係るキャビネット１０は、前側扉１６を開くことで内部を換気するものとしたが、本発明に係る換気手段の構成はこれに限定されるものでない。すなわち、本発明に係る換気手段は、キャビネット１０の前側面等から内部に空気を導入可能なファン等によって構成されるものであっても良い。
【０１３５】
また、本実施形態に係るキャビネット１０は、食器洗い機Ａの扉体Ａ１と対向する面を開閉するものとしたが、本発明に係る収納手段が開閉する面は、これに限定されるものでない。すなわち、本発明に係る収納手段は、食器洗い機Ａの扉体Ａ１と対向しない面を開閉するものであっても良い。
【０１３６】
また、本実施形態に係るキャビネット１０は、右方向に食器洗い機Ａを引き出すものとしたが、本発明に係る食器洗い機を引き出す方向はこれに限定されるものでなく、例えば、前方向等であっても良い。
【０１３７】
また、本実施形態に係るキャビネット１０は、食器洗い機Ａを引き出し可能な構成であるものとしたが、本発明に係る収納手段は、これに限定されるものでなく、食器洗い機Ａを引き出し不能な構成であっても良い。
【０１３８】
また、本発明に係る運転規制手段は、必ずしも食器洗い機Ａへの通電を遮断するものである必要はない。すなわち、本発明に係る運転規制手段は、食器洗い機Ａに設けられる運転を停止するためのボタンを押すことで食器洗い機Ａの運転を規制するものであっても良い。
【０１３９】
また、本実施形態に係る運転規制手段の構成は、本実施形態に係る通電遮断機構３０のような収納検知ボタン４０、前側扉検知ボタン５０及び押圧部材６０等に限定されるものでない。
【０１４０】
また、本発明に係る開放機構の構成は、本実施形態に係る開放機構２０のような本体ケース２１、支持部材２２、軸部２３及びラッチボルト２４等に限定されるものでない。
【符号の説明】
【０１４１】
１      キッチン
３      カウンター
１０    キャビネット（収納手段）
１６    前側扉（換気手段）
３０    通電遮断機構（運転規制手段）
Ａ      食器洗い機
【図１】
2016185274.tif 000003
【図２】
2016185274.tif 000004
【図３】
2016185274.tif 000005
【図４】
2016185274.tif 000006
【図５】
2016185274.tif 000007
【図６】
2016185274.tif 000008
【図７】
2016185274.tif 000009
【図８】
2016185274.tif 000010
【図９】
2016185274.tif 000011
【図１０】
2016185274.tif 000012
【図１１】
2016185274.tif 000013
【図１２】
2016185274.tif 000014
【図１３】
2016185274.tif 000015
【図１４】
2016185274.tif 000016